(57)【要約】【課題】屋外における紫外線照射強度の判定・警告、対策等を行なえる安価な器具の提供。【解決手段】携帯電話，腕時計等に貼り付けまたは紐等を介して取り付け可能な紫外線測定器具であって、紫外線により色変化する受光部と、該色変化に対応して紫外線の強度が計測できるスケールと、紫外線対策スケールを有することを特徴とする。また、紫外線対策スケールは、外出時間の目安，ＳＰＦ(Sun Protection Factor)指数(サンケア指数)，ＰＡ(Protection Grade of UV-A)指数等のいずれかを含むものであることを特徴とする。また、貼着部を裏面に設けたことを特徴とする。【選択図】  図１
2006071580.tif 000002
【特許請求の範囲】
【請求項１】
携帯電話，腕時計等に貼り付けまたは取り付け可能な紫外線測定器具であって、
紫外線により色変化する受光部と、該色変化に対応して紫外線の強度が計測できるスケールと、紫外線対策スケールを有することを特徴とする紫外線測定器具。
【請求項２】
該紫外線対策スケールは、外出時間の目安，ＳＰＦ指数，ＰＡ指数等のいずれかを含むものであることを特徴とする請求項１記載の紫外線測定器具。
【請求項３】
貼着部を裏面に設けたことを特徴とする請求項１記載の紫外線測定器具。
【発明の詳細な説明】
【技術分野】
【０００１】
この発明は、屋外における紫外線照射強度の判定・警告、対策等を行なえる器具に関するものである。
【背景技術】
【０００２】
紫外線の存在や照射強度は工業用としてはＸ線のように計器による測定方法や検知材ラベルによって照射強度の強い環境や紫外線ランプ等の機器の効果判定に利用されていた。日常生活における太陽光線中の紫外線は赤外線の対極にありＸ線の領域に近く、従って目に見えないものであり、人体の五感で照射強度を判定できないものである。衣類や、帽子、日傘などには紫外線対策がなされた商品がある。また、カード型の紫外線測定用具が上市され、照射強度を判定する方法も提案されている(特許文献１：特開２００３−１３９６０９号公報)。しかしながら、紫外線のトータルの照射強度を発色したり、警告音を発するに過ぎず、どのような対策を講ずるべきか判らないものであった。
【特許文献１】特開２００３−１３９６０９号公報
【発明の開示】
【発明が解決しようとする課題】
【０００３】
本発明は、上記問題点を解決するためになされたものであり、屋外における紫外線照射強度の判定・警告、対策等を行なえる安価な器具を提供することを目的とする。
【課題を解決するための手段】
【０００４】
上記目的を達成するために、本発明の器具は、携帯電話，腕時計等に貼り付けまたは紐等を介して取り付け可能な紫外線測定器具であって、紫外線により色変化する受光部と、該色変化に対応して紫外線の強度が計測できるスケールと、紫外線対策スケールを有することを特徴とする。また、紫外線対策スケールは、外出時間の目安，ＳＰＦ(Sun Protection Factor)指数(サンケア指数)，ＰＡ(Protection Grade of UV-A)指数等のいずれかを含むものであることを特徴とする。また、貼着部を裏面に設けたことを特徴とする。
【発明の効果】
【０００５】
本発明によれば、紫外線の受光量の度合いを簡単に確認でき、紫外線対策としてどのような化粧品を使用すべきかきわめて容易に判断できる。
【発明を実施するための最良の形態】
【０００６】
以下、本発明の実施の形態について説明する。図１は、紫外線測定用器具の平面図で、１は本体、１０は、紫外線受光(感能)部、１１は、少なくとも５段階以上で色調表示された計測(判定)スケール、１２は、それに対応した対策スケール(ＳＰＦスケール)で少なくとも３段階に区分されている。１３は、本体１を紐等で携帯電話等に取り付けるための孔である。紫外線受光部１０は、１５ｍｍ×１５ｍｍ程度または直径１５ｍｍの大きさで指で全体を覆うことができる大きさである。
【０００７】
紫外線受光部(紫外線 線量測定部)１０に用いられる光活性剤は当業界において公知のものであり、その体表的具体例としては、例えば一般式（Ｉ）Ｒ−Ｃ−X3 （Ｉ）（式中、Ｒはアリル、アルキル、アラルキル、アロイル、アルケニル基、ハロゲン、水素を示し、Ｘはハロゲンを示す）で表わされる化合物、例えば四臭化炭素、四塩化炭素、ヘキサクロルエタン、ペンタブロモエタン、ｐ−ニトロベンゾトリブロマイド、ブロモトリクロロメタン、ヘキサブロモエタン、ベンゾトリクロライド、ヨードホルム、テトラクロロテトラヒドロナフタレン、クロラール、ブロマール、1,1,1−トリブロモ−２−メチル−２−プロパノール、1,1,2,2−テトラブロモエタン、2,2,2−トリブロモエタノール、トリクロロアセトアミド、1,1,1−トリクロロ−ジメチル−２−プロパノールなどをあげることができる。
【０００８】
変色剤 は、光活性剤が紫外線の作用により遊離基を生成した際に、この遊離基の作用により変色する化合物で公知の物質が用いられる。かかる変色剤 としては、本来無色の物質であるが、遊離基の作用により有色に変化するものと、本来固有の着色を持つものが遊離基の作用により別の色に変色するか、或は脱色されるものとがあるが、これらの代表的具体例をあげれば、前者の例としては、ジフエニルアミン、ジベンジルアミン、トリフエニルアミン、Ｎ−ハイドロキシエチル−Ｎ−エチルアニリン、ｐ，ｐ’−メチレンビス（N,N−ジエチルアニリン）などのアミン化合物、ロイコクリスタルバイオレット、ロイコマラカイトグリーン、ミヒラーのヒドロール、ロイコメチレンブルーなどの色素のロイコベース、３−ジエチルアミノ−７−クロルフルオラン、３−メチルアミノ−６−クロルフルオラン、３−ジメチルアミノ−６−メトキシフルオラン、３−シクロヘキシルアミノ−６−クロルフルオラン、３−ジエチルアミノ−ベンゾ（ａ）−フルオラン、３−ジエチルアミノ−６−アミノフルオラン、3,6−ジメトキシフルオラン、３−ジエチルアミノ−７−ジベンジルアミノフルオラン、３−ジエチルアミノ−６−メチル−７−クロルフルオランなどのフルオラン化合物、ビス（４−ジエチルアミノ−２−メチルフェニル）フェニルメタン、トリス（４−ジエチルアミノ−２−メチルフェニル）メタン、ビス（４−ジメチルアミノ−２−メトキシフェニル）フェニルメタン、ビス（４−ジエチルアミノ−２−メチルフェニル）（４−ジエチルアミノフェニル）メタン、ビス（４−ジエチルアミノ−２−メチルフェニル）（3,4−ジメトキシフェニル）メタン、ビス（４−ジベンジルアミノ−２−メチルフェニル）フェニルメタンなどのポリアリールアルカン化合物、１−フェニル−３−（Ｐ−ジエチルアミノ）スチリル−５−（Ｐ−ジエチルアミノ）フェニルピラゾリンなどのピラゾリン化合物をあげることができる。一方、後者の例としては、ジフエニルメタン系、トリフエニルメタン系、チアジン系、オキサジン系、キサンテン系、アンスラキノン系、イミノナフトキノン系、アゾメチン系などの各種の色素を有効に用いることができ、これらの例をあげるならば、オーラミン、ビクトリアブルー、ベンゾイルメチレンブルー、シンナモイルメチレンブルー、ローダミン、４−ｐ−ジエチルアミノフエニルイミノナフトキノン、ｐ−メトキシベンゾイル−ｐ−ジエチルアミノ−ｏ−メチルフエニルイミノアセトアニライド、１−フエニル−３−メチル−４−ｐ−ジエチルアミノフエニルイミノ−５−ピラゾロンなどをあげることができる。しかしながら、これらに限られるものではない。
次に本発明の紫外線受光部１０に用いられる紫外線吸収剤としては、公知の物質が用いられ、具体例としては、例えばパラアミノ安息香酸誘導体（PABA誘導体）、ケイヒ酸誘導体、サリチル酸誘導体、カンファー誘導体、ベンゾフェノン誘導体、ウロカニン酸誘導体、含窒素複素環誘導体などをあげることができる。
【０００９】
本発明に従った紫外線測定器具１を構成する紫外線受光部１０は、適当な支持体１ａに被覆することによって以下に説明するように紫外線 線量を測定するのに使用することができる。かかる支持体としては、紙、プラスチックフィルム、ガラス板、金属板などの任意のものを使用することができる。
【００１０】
本発明に従った紫外線 線量測定用素子の各構成成分の量的割合及び塗布量については特に限定はないが、好ましい例をあげれば以下の通りである。高分子バインダー １００重量部光活性剤 ０.１〜１００重量部変色剤 ０.１〜２００重量部紫外線 吸収剤 ０.１〜２００重量部また、各層の塗布量についても特に限定はないが、一般には上記の割合において、固形分重量で０.０１〜２０ｇ/ｍ2、好ましくは１〜１０ｇ/ｍ2になるように塗着するのが望ましい。なお、各層の厚さも適宜選定することができるが、一般には支持体２０〜２００μｍ、光活性剤 、変色剤 及び／又は紫外線 吸収剤を含む層０.５〜２０μｍ、保護シート１〜２０μｍとすることができる。
【００１１】
使用時においては、紫外線受光部１０の発色の度合いを計測スケール１１で照合し、さらに対策スケール１２と照合して、どのようなＳＰＦレンジの化粧品を選択するかどうかを判断する。
【００１２】
図２は、紐１４を介して紫外線測定器具１と携帯装置の1つである、ｉ−モード機能を有する携帯電話２と繋げた状態を示すものである。この場合、現状の紫外線受光に対応したＳＰＦのレンジ(０〜５０)を対策スケール１２で確認し、そのレンジを携帯電話２の入力部２ａで入力し、インターネットで好ましい化粧品を検索し、表示部２ｂに表示できる。
【００１３】
以上、実施例に基づいて説明したが、本発明はこれに限られるものではない。
【図面の簡単な説明】
【００１４】
【図１】本発明の実施例の一例を示す図である。
【図２】本発明の実施例を携帯装置と共に使用する状態を示す図である。
【符号の説明】
【００１５】
１  紫外線測定用器具、１ａ  支持体、２  携帯装置(携帯電話)、１０  紫外線受光部、１１  計測スケール、１２  対策スケール
【図１】
2006071580.tif 000003
【図２】
2006071580.tif 000004